(57)【要約】【解決すべき課題】安全で、かつ時間が有効利用できる車載用の映像再生装置及び方法を提供することにある。【課題を解決するための手段】走行検出部４は、自動車の走行開始又は走行中止を検出する。走行検出部４が走行開始を検出したならば、再生部５は映像・音声の再生を中止し、記録映像中における再生の中止した位置を記憶する。一方、走行検出部４が走行中止を検出したならば、再生部５は記憶されている前回再生を中止した位置を確認し、中止位置より映像・音声の再生する。【選択図】　図２
2004122888.tif 000002
【特許請求の範囲】
【請求項１】
車載用映像再生装置であって、
映像が格納された記憶手段と、
車の走行及び走行中止を検出する検出手段と、
前記検出手段により、車の走行が検出された場合には、前記記憶部に記憶されている映像の再生を中止し、車の走行中止が検出された場合には、前回再生が中止されたシーンから前記記憶部に記憶されて映像を再生する再生手段と
を有することを特徴とする車載用映像再生装置。
【請求項２】
車載用映像再生装置であって、
テレビ放送を受信する受信手段と、
映像・音声が格納される記憶手段と、
前記受信手段で受信したテレビ放送の映像及び音声を、前記記憶手段に格納する格納手段と、
車の走行及び走行中止を検出する検出手段と、
前記検出手段により、車の走行が検出された場合には、前記記憶部に記憶されている映像・音声の再生を中止し、車の走行中止が検出された場合には、前回再生が中止されたシーンから前記記憶部に記憶されて映像・音声を再生する再生手段と
を有することを特徴とする車載用映像再生装置。
【請求項３】
乗用時に、記憶部に記憶されている映像を再生する映像再生方法であって、
車の走行及び走行中止を検出するステップと、
車の走行が検出された場合には、記憶部に記憶されている映像の再生を中止し、車の走行中止が検出された場合には、前回再生が中止されたシーンから記憶されて映像を再生するステップと
を有することを特徴とする乗用時の映像再生方法。
【請求項４】
テレビ放送を受信するステップと、
前記受信したテレビ放送の映像及び音声を、記憶部に格納するステップと、
を更に有することを特徴とする請求項３に記載の乗用時の映像再生方法。
【発明の詳細な説明】
【０００１】
【発明が属する技術分野】
本発明は車載用映像再生装置及び再生方法であって、特に自動車の走行又は走行中止時の映像の再生技術に関する。
【０００２】
【従来の技術】
近年、車載用のモニターが多く開発され、新車時に既に車に搭載されているものも多い。モニターでは、放送されているテレビや、ビデオ等を鑑賞することができる。しかし、自動車の走行時にテレビや、ビデオは鑑賞することは、事故防止の観点からも危険である。従って、自動車の停止時にのみ、テレビや、ビデオを鑑賞することが望ましい。
【０００３】
【発明が解決しようとする課題】
しかしながら、自動車が走行していないときのみテレビや、ビデオを鑑賞するとした場合、テレビでは大事場面を見損なう場合もある。更に、一度、録画などを行なった場合であっても、走行の度に再生を中止すると、今まで見ていた部分を次に再生するまで時間がかかってしまう。
【０００４】
そこで、本発明は上記問題点に鑑みて発明されたものであって、その目的は車の走行を検出し、走行中止時に、前回再生が中止された部分より映像・音声の再生をすることにより、安全で、かつ時間が有効利用できる車載用の映像再生装置及び方法を提供することにある。
【０００５】
【課題を解決するための手段】
上記本発明の目的を達成する第１の発明は、車載用映像再生装置であって、
映像が格納された記憶手段と、
車の走行及び走行中止を検出する検出手段と、
前記検出手段により、車の走行が検出された場合には、前記記憶部に記憶されている映像の再生を中止し、車の走行中止が検出された場合には、前回再生が中止されたシーンから前記記憶部に記憶されて映像を再生する再生手段と
を有することを特徴とする。
【０００６】
上記本発明の目的を達成する第２の発明は、車載用映像再生装置であって、
テレビ放送を受信する受信手段と、
映像・音声が格納される記憶手段と、
前記受信手段で受信したテレビ放送の映像及び音声を、前記記憶手段に格納する格納手段と、
車の走行及び走行中止を検出する検出手段と、
前記検出手段により、車の走行が検出された場合には、前記記憶部に記憶されている映像・音声の再生を中止し、車の走行中止が検出された場合には、前回再生が中止されたシーンから前記記憶部に記憶されて映像・音声を再生する再生手段と
を有することを特徴とする。
【０００７】
上記本発明の目的を達成する第４の発明は、乗用時に、記憶部に記憶されている映像を再生する映像再生方法であって、
車の走行及び走行中止を検出するステップと、
車の走行が検出された場合には、記憶部に記憶されている映像の再生を中止し、車の走行中止が検出された場合には、前回再生が中止されたシーンから記憶されて映像を再生するステップと
を有することを特徴とする。
【０００８】
上記本発明の目的を達成する第４の発明は、上記第３の発明において、テレビ放送を受信するステップと、
前記受信したテレビ放送の映像及び音声を、記憶部に格納するステップと、
を更に有することを特徴とする。
【０００９】
【発明の実施の形態】
本発明の実施の形態を説明する。
【００１０】
図１は本発明の実施の形態を示すブロック図である。
【００１１】
図１中、１は受信部である。この受信部１は、デジタルや、アナログと言ったテレビ放送を受信するものである。
【００１２】
２は書込部である。この書込部２は、受信部１で受信した映像・音声信号を、後述する記憶部３に格納（書込み）するものである。尚、書き込まれる映像・音声は、ＭＰＥＧや、ＡＶＩ等のファイル形式は問わず、後述するように映像全体の再生位置、例えばタイムコードや、フレームコードのように現在の再生位置がわかるようなものであれば、特に種類を問わない。
【００１３】
３は記憶部である。この記憶部３は、例えば、ハードディスク（ＨＤ）のようなもので構成される。そして、書込部２により、受信した映像・音声信号が書き込まれる。
【００１４】
４は走行検出部である。この走行検出部４は、自動車の走行を監視し、自動車の走行開始時に走行開始検出信号と、走行中止時に走行中止検出信号とを出力する。
【００１５】
５は再生部である。この再生部５はタイムシフト機能を持ち、走行検出部４からの走行中止検出信号に応答して記憶部３から映像・音声信号を読み出し、映像・音声を再生する。また、走行検出信号に応答して映像・音声信号の読み出しを中止し、映像・音声の再生を中止する。
【００１６】
ここで、再生の開始と中止とを、図２を用いて更に詳細に説明する。
【００１７】
再生部５は、自動車の走行時には映像の再生を行なわず、自動車の走行中止時には再生を行なう。
【００１８】
図２に示される如く、再生部５は走行中止検出信号に応答して映像・音声信号の読み出しを開始する。このとき再生される映像は記録されている映像の最初の位置が再生される。
【００１９】
その後、再生部５は、走行検出信号に応答して映像・音声信号の読み出しを中止するが、中止する際に映像・音声の再生を中止した部分を記憶するようになっている。例えば、図２においては、位置Ａである。この位置は、タイムコードや、フレームナンバー等で記憶される。
【００２０】
続いて、再生部５は走行中止検出信号に応答して映像・音声信号の読み出しを開始する。このとき再生される映像・音声は、前回再生が中止された位置から開始される。図２においては、位置Ａから映像の再生が開始され、すなわち、前回再生が中止された続きの映像が再生されるのである。
【００２１】
このようにして、走行時は映像・音声の再生を中止し、走行中止時には前回再生を中止した映像・音声の続きから再生される。
【００２２】
尚、走行中止状態において、走行状態を検知した瞬間のタイムコードなどを記憶し、再生時は、その数秒前、例えば３秒前から再生をスタートするように構成しても良い。
【００２３】
６は表示部であり、再生部５により読み出された映像が表示される。
【００２４】
７は音声出力部であり、再生部５により読み出された音声が出力される。
【００２５】
次に、上述の構成における動作を説明する。
【００２６】
まず、走行開始又は走行中止を検出する（Ｓｔｅｐ　１００）。検出した結果、走行開始信号ならば（Ｓｔｅｐ　１０１）、映像・音声の再生を中止する（Ｓｔｅｐ　１０２）。そして、記録映像中における再生中止した位置を記憶する（Ｓｔｅｐ　１０３）。
【００２７】
一方、検出した結果、走行中止信号ならば（Ｓｔｅｐ　１０１）、記憶されている前回再生を中止した位置を確認する（Ｓｔｅｐ　１０４）。そして、中止位置より映像・音声の再生する（Ｓｔｅｐ　１０５）。
【００２８】
以上の如く、本発明は自動車の走行中止時しか映像が再生されず、かつ、映像・音声の再生が前回に再生を中止した位置より自動的に開始されるので、映像の頭出し等の無駄な時間をかけることなく、安全に映像・音声を鑑賞することが出来る。
【００２９】
尚、上述した実施の形態では、テレビ放送等を受信する受信部を設け、受信した映像・音声を記録して再生するように構成したが、例えば、受信部等を設けずに記録部に既に記録された映像・音声を再生するような構成としても良い。
【００３０】
【発明の効果】
本発明は車の走行、走行中止を検出し、走行開始時には映像・音声の再生を中止すると共に、再生を中止した位置を記憶し、走行中止時に前回再生が中止された位置より映像・音声の再生をするように構成されているので、安全で、かつ頭だし等の時間をなくすことが出来るという優れた効果を有する。
【図面の簡単な説明】
【図１】図１は本発明の実施の形態を示すブロック図である。
【図２】図２は映像・音声の再生、再生の中止を説明する為の図である。
【図３】図３は本実施の形態の動作を示すフローチャートである。
【符号の説明】
１　　　　受信部
２　　　　書込部
３　　　　記憶部
４　　　　走行検出部
５　　　　再生部
６　　　　表示部
７　　　　出力部
【図１】
2004122888.tif 000003
【図２】
2004122888.tif 000004
【図３】
2004122888.tif 000005